【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
コンピュータ実装された方法であって、
デジタルメディアの１以上のアイテムの指定をユーザから受け取る工程と、
デジタルメディアの前記１以上のアイテムに関するコミュニケーションを前記ユーザから受け取る工程と、
前記コミュニケーションおよびデジタルメディアの１以上のアイテムに関する、ユーザによって選択されたプライバシレベルを前記ユーザから受け取る工程と、
前記指定に基づいて、デジタルメディアの前記１以上のアイテムを前記コミュニケーションに関連付ける工程と、
ユーザによって選択された前記プライバシレベルと、ソーシャルネットワーキングシステムによって維持されているソーシャルグラフの情報とに部分的に基づくプライバシ設定の指定に基づいて、前記ソーシャルネットワーキングシステムにおける、前記コミュニケーションと、デジタルメディアの前記１以上のアイテムとに対するプライバシレベルを設定する工程と
を含む、方法。
【請求項２】
前記プライバシレベルは、前記ソーシャルネットワーキングシステムにおける前記ユーザのみに、前記コミュニケーションと、デジタルメディアの前記１以上のアイテムとへのアクセスを許可する、請求項１に記載の方法。
【請求項３】
前記プライバシレベルは、前記ソーシャルネットワーキングシステムにおける前記ユーザおよび前記ユーザの友達に、前記コミュニケーションと、デジタルメディアの前記１以上のアイテムとへのアクセスを許可する、請求項１に記載の方法。
【請求項４】
前記コミュニケーションまたはデジタルメディアの前記１以上のアイテムに関するタグデータを受け取る工程をさらに含み、前記タグデータは、前記ソーシャルネットワーキングシステムにおける１以上の人を識別する、請求項１に記載の方法。
【請求項５】
前記タグデータにより識別された前記１以上の人に基づいて、前記コミュニケーションと、デジタルメディアの前記１以上のアイテムとに対する前記プライバシレベルを調整する、プライバシレベル調整工程をさらに含む、請求項４に記載の方法。
【請求項６】
前記プライバシレベル調整工程は、前記タグデータにより識別された前記１以上の人に、前記コミュニケーションと、デジタルメディアの前記１以上のアイテムとへのアクセスをさらに許可する工程を含む、請求項５に記載の方法。
【請求項７】
前記プライバシレベル調整工程は、前記タグデータにより識別された前記１以上の人の友達に、前記コミュニケーションと、デジタルメディアの前記１以上のアイテムとへのアクセスをさらに許可する工程を含む、請求項６に記載の方法。
【請求項８】
前記プライバシレベル調整工程は、前記ソーシャルネットワーキングシステムにおける１以上の人を識別する前記タグデータが取り除かれたとき、前記コミュニケーションと、デジタルメディアの前記１以上のアイテムとへのアクセスを制限する工程を含む、請求項５に記載の方法。
【請求項９】
前記デジタルメディアは、デジタル画像を含む、請求項１に記載の方法。
【請求項１０】
前記コミュニケーションは、テキストコンテンツを含む、請求項１に記載の方法。
【請求項１１】
非一時的コンピュータ可読記憶媒体であって、
デジタルメディアの１以上のアイテムの指定をユーザから受け取る工程と、
デジタルメディアの前記１以上のアイテムに関するコミュニケーションを前記ユーザから受け取る工程と、
前記コミュニケーションおよびデジタルメディアの１以上のアイテムに関する、ユーザによって選択されたプライバシレベルを前記ユーザから受け取る工程と、
前記指定に基づいて、デジタルメディアの前記１以上のアイテムを前記コミュニケーションに関連付ける工程と、
ユーザによって選択された前記プライバシレベルと、ソーシャルネットワーキングシステムによって維持されているソーシャルグラフの情報とに部分的に基づくプライバシ設定に基づいて、前記ソーシャルネットワーキングシステムにおける、前記コミュニケーションと、デジタルメディアの前記１以上のアイテムとに対するプライバシレベルを設定する工程と、
のためのコンピュータプログラムコードを含む、媒体。
【請求項１２】
前記プライバシレベルは、前記ソーシャルネットワーキングシステムにおける前記ユーザのみに、前記コミュニケーションと、デジタルメディアの前記１以上のアイテムとへのアクセスを許可する、請求項１１に記載の媒体。
【請求項１３】
前記プライバシレベルは、前記ソーシャルネットワーキングシステムにおける前記ユーザおよび前記ユーザの友達に、前記コミュニケーションと、デジタルメディアの前記１以上のアイテムとへのアクセスを許可する、請求項１１に記載の媒体。
【請求項１４】
前記コミュニケーションまたはデジタルメディアの前記１以上のアイテムに関するタグデータを受け取る工程をさらに含み、前記タグデータは、前記ソーシャルネットワーキングシステムにおける１以上の人を識別する、請求項１１に記載の媒体。
【請求項１５】
前記タグデータにより識別された前記１以上の人に基づいて、前記コミュニケーションと、デジタルメディアの前記１以上のアイテムとに対する前記プライバシレベルを調整する、プライバシレベル調整工程をさらに含む、請求項１４に記載の媒体。
【請求項１６】
前記プライバシレベル調整工程は、前記タグデータにより識別された前記１以上の人に
よる、前記コミュニケーションと、デジタルメディアの前記１以上のアイテムとへのアクセスをさらに許可する工程を含む、請求項１５に記載の媒体。
【請求項１７】
前記プライバシレベル調整工程は、前記タグデータにより識別された前記１以上の人の友達に、前記コミュニケーションと、デジタルメディアの前記１以上のアイテムとへのアクセスをさらに許可する工程を含む、請求項１６に記載の媒体。
【請求項１８】
前記プライバシレベル調整工程は、前記ソーシャルネットワーキングシステムにおける１以上の人を識別する前記タグデータが取り除かれたとき、前記コミュニケーションと、デジタルメディアの前記１以上のアイテムとへのアクセスを制限する工程を含む、請求項１５に記載の媒体。
【請求項１９】
前記デジタルメディアは、デジタル画像を含む、請求項１１に記載の媒体。
【請求項２０】
１以上のプロセッサと、前記プロセッサに結合され、前記プロセッサによって実行可能な命令を含む非一時的メモリとを備えたシステムであって、前記プロセッサは、前記命令が実行されるとき、
デジタルメディアの１以上のアイテムの指定をユーザから受け取る工程と、
デジタルメディアの前記１以上のアイテムに関するコミュニケーションを前記ユーザから受け取る工程と、
前記コミュニケーションおよびデジタルメディアの１以上のアイテムに関する、ユーザによって選択されたプライバシレベルを前記ユーザから受け取る工程と、
前記指定に基づいて、デジタルメディアの前記１以上のアイテムを前記コミュニケーションに関連付ける工程と、
ユーザによって選択された前記プライバシレベルと、ソーシャルネットワーキングシステムによって維持されているソーシャルグラフの情報とに部分的に基づくプライバシ設定に基づいて、前記ソーシャルネットワーキングシステムにおける、前記コミュニケーションと、デジタルメディアの前記１以上のアイテムとに対するプライバシレベルを設定する工程と、が行われるように構成される、システム。